(57)【特許請求の範囲】
【請求項１】
接続対象物に接続するコネクタ部と、該コネクタ部に対して嵌合する嵌合方向及び前記コネクタ部から離脱させる離脱方向へ前記接続対象物を案内するガイド部を設けたフレームと、嵌合状態にある前記接続対象物を離脱させるためのイジェクト機構とを備えているイジェクト機構付きコネクタにおいて、
前記イジェクト機構は、前記接続対象物を離脱させる離脱手段と、前記離脱手段を操作する操作手段と、前記離脱方向へ前記操作手段を常時、付勢する弾性部材とを有し、
前記フレームには、カム部を有するピン部材が取り付けられており、
前記操作手段は、操作ボタン部材と、前記離脱手段と当接し前記離脱手段を操作するイジェクトバーと、該イジェクトバーを回動自在に保持する保持手段とを有し、
前記イジェクトバーには、前記カム部と係合するカム機構が設けられており、
前記操作ボタン部材は前記フレームと係合する係合手段を有し、
前記フレームは前記係合手段と係合する固定手段を有し、
前記フレームに前記操作ボタン部材を摺動自在に保持させるよう前記固定手段と前記係合手段とが係合していることを特徴とするイジェクト機構付きコネクタ。
【請求項２】
請求項１記載のイジェクト機構付きコネクタにおいて、
前記離脱手段は前記コネクタ部に回動可能に取り付けたレバーと、該レバーの回動によって前記嵌合・離脱方向へ移動するプレート部材とを有し、
前記レバーは前記コネクタ部に設けた軸に嵌め込まれるレバー軸穴と、一端側に形成されているレバー突当部と、他端側に形成されているレバー連結穴とを有し、
前記プレート部材は、前記レバー連結穴に結合するプレート連結部と、前記レバー突当部に当接するプレート切込部とを有していることを特徴とするイジェクト機構付きコネクタ。
【請求項３】
請求項２記載のイジェクト機構付きコネクタにおいて、
前記カム部は、前記カム機構に係合するよう前記ピン部材の前記嵌合方向の先端に形成したピン先端部を有し、
前記操作ボタン部材は、ボタン操作部とボタン根元部とからなり、該ボタン操作部の内側にはイジェクトバー収納空間と、ボタン固定溝とが形成されており、
前記ボタン根元部は前記ボタン根元部の内側に形成したスプリング収納空間と、前記ボタン根元部の外側に形成したスリットと、前記ボタン根元部の先端部分に形成したボタン段差部とを有し、
前記イジェクトバー収納空間の前記離脱方向側には、ボタン回転軸が設けられており、
前記ボタン操作部には前記ボタン固定溝へ突出している第１のボタン突起が形成されており、
前記ボタン根元部には前記スプリング収納空間へ突出している第２のボタン突起が形成されており、
さらに前記ボタン操作部には、前記イジェクトバー収納空間とは反対側の外側にかつ前記ボタン根元部側から前記離脱方向へボタン穴が形成されていることを特徴とするイジェクト機構付きコネクタ。
【請求項４】
請求項３記載のイジェクト機構付きコネクタにおいて、
前記カム機構は、前記イジェクトバーに形成した環状型のカム溝であって、
前記イジェクトバーは前記レバー及びプレート部材と当接し前記レバー及び前記プレート部材を操作するものであり、
前記イジェクトバーはイジェクトバー先端部とイジェクトバー根元部とからなり、
該イジェクトバー根元部にはイジェクトバー穴が形成されており、
前記イジェクトバー先端部の内側面には前記環状型のカム溝が形成されており、
先端部分にはイジェクトバー溝とイジェクトバー保持突起とが形成されており、
前記第１のボタン突起と前記第２のボタン突起とによって前記係合手段が構成されており、
前記ボタン回転軸、前記ボタン段差部，前記イジェクトバー穴及び前記イジェクトバー保持突起によって前記保持手段が構成されており、
前記フレームには、前記操作ボタン部材の前記第１及び第２のボタン突起と係合する前記第１及び第２のフレーム側突起とが設けられており、
前記操作ボタン部材と前記イジェクトバーとは、前記イジェクトバー根元部を前記ボタン穴に差し込み、イジェクトバー穴内に前記ボタン回転軸を通した後に、前記イジェクトバー保持突起を前記ボタン段差部内に嵌め込むことにより、前記操作ボタン部材と前記イジェクトバーとが一体化されているとともに、前記ボタン回転軸を回転中心とする揺動運動を可能としたことを特徴とするイジェクト機構付きコネクタ。
【請求項５】
請求項４記載のイジェクト機構付きコネクタにおいて、
前記フレームに前記操作ボタン部材を摺動自在に保持させるよう前記第１及び第２のフレーム側突起と前記第１及び第２のボタン突起とを係合させたことを特徴とするイジェクト機構付きコネクタ。
【発明の詳細な説明】
【０００１】
【発明の属する技術分野】
本発明は、ＰＣカード、ＣＦカード等のカードのような接続対象物と接続するイジェクト機構付きコネクタに関する。
【０００２】
【従来の技術】
図１３は、従来のイジェクト機構付きコネクタを示しており、カードを嵌合した時において操作ボタン部材が初期状態の位置にある状態を示している。図１４は、図１３に示したイジェクト機構付きコネクタを分解した状態を示している。図１５は、図１３に示したイジェクト機構付きコネクタのインシュレータを逆転してイジェクタ機構を取り付ける例を分解して示している。
【０００３】
図１３乃至図１５を参照して、従来のイジェクト機構付きコネクタは、ＰＣカード及びＣＦカード等のカード１００と嵌合するための複数のピンコンタクト２００と、これらピンコンタクト２００を整列・固定するためのインシュレータ３００と、カード１００の不要電流を外部に逃がすための一対のアース端子２６０ａ，２６０ｂと、嵌合状態にあるカードを排出するためのイジェクト機構とから構成されている。
【０００４】
なお、以下の説明において、インシュレータ３００へカード１００が挿入され、コンタクト２００にカード１００に設けた相手コンタクトを嵌合させる方向を嵌合方向Ａと呼び、嵌合状態にあるカード１００をコンタクト２００から離脱させる方向を離脱方向Ｂと呼ぶことにする。
【０００５】
イジェクト機構は、板形状のレバー４００、板形状のプレート部材５００、ハートカム（略ハート形状の溝を有するカム）６００、スプリング８９０、操作ボタン部材７００、イジェクトバー８００、カバー部材９００から構成される。
【０００６】
ピンコンタクト２００は導電性の金属材料によって作られており、カード１００に備えた相手コンタクトに接触するための接点部２１０と、インシュレータ３００に圧入されて保持される圧入部２２０と、プリント回路基板のような基板の回路に半田付けされることによって接続する半田付部２３０を備える。
【０００７】
一対のアース端子２６０ａ，２６０ｂは、金属板をプレス打ち抜き加工を施すことによって作られており、取付部２７０ａ，２７０ｂと、基板差し込み部２８０ａ，２８０ｂと、アース接点部２９０ａ，２９０ｂとを備える。取付部２７０ａ，２７０ｂがインシュレータ３００の固定部３８０に固定された時、アース接点部２９０ａ，２９０ｂは穴３８０ａ−１，３８０ｂ−１を通ってカード１００の側面部分に接触する。
【０００８】
インシュレータ３００は樹脂材料によって平面で見ると略コ字形状に作られており、互いに平行に所定間隔をもって位置している一対のフレーム３００ａ，３００ｂと、カード１００を図１３に示した嵌合方向Ａへ挿入する嵌合端側で一対のフレーム３００ａ，３００ｂを相互に接続しているコネクタ部３００ｃとを有している。
【０００９】
コネクタ部３００ｃには、ピンコンタクト２００の圧入部２２０を圧入するための圧入穴３１０が嵌合・離脱方向Ａ，Ｂに形成されている。一対のフレーム３００ａ，３００ｂの対向面のそれぞれには、嵌合方向Ａへカード１００を挿入してピンコンタクト２００まで案内するために溝状に形成されているガイド部３２０ａ，３２０ｂが形成されている。
【００１０】
一方のフレーム３００ａの外側面には、操作ボタン部材７００を嵌合・離脱方向Ａ，Ｂへ移動可能に保持するために離脱方向Ｂ側の端部で外側面上へ突出するように形成されている固定アーム３３０と、カバー部材９００を固定するための第１の固定部３４０、及び第２の固定部３５０と、嵌合方向Ａ側の外側面を凹面形状に凹ませて形成されている段差部３７０と、アース端子２６０を固定するように固定アーム３３０の近傍で外側面を凹面形状に凹ませて形成されている第２の固定部３８０ａ，３８０ｂと、アース固定部３８０ａに隣接して離脱方向Ｂ側にアース接点穴３８０ａ−１とが成形されている。段差部３７０ａには離脱方向Ｂの端部に隣接して溝３７０ａ−１と、この溝３７０ａ−１に対向して嵌合方向Ａ側の段差部３７０ａに溝３７０ｂ−１が設けられている。
【００１１】
他方のフレーム３００ｂの外側面には、嵌合方向Ａの端部で外側面より凹面形状に凹ませて形成されている段差部３７０ｂと、離脱方向Ｂの端部近傍でアース端子２６０ｂを固定するように外側面から凹面形状に凹むように形成されているアース固定部３８０ｂと、アース固定部３８０ｂに隣接して離脱方向Ｂ側にアース接点穴３８０ｂ−１とが成形されている。段差部３７０ｂには離脱方向Ｂの端部に溝３７０ａ−２と、この溝３７０ａ−２に対向して嵌合方向Ａ側の段差部３７０ｂに溝３７０ｂ−２が設けられている。
【００１２】
図１３及び図１４に示したコネクタ部３００ｃの表面、及び図１５に示したコネクタ部３００ｃの表面には、レバー４００を回動可能に軸支する軸３６０ａ，３６０ｂが設けられている。軸３６０ａ，３６０ｂは、一対のフレーム３００ａ，３００ｂのいずれかにイジェクト機構を取り付けるかによって、レバー４００の向きを選択して軸支するようになっている。
【００１３】
アース端子２６０ａ，２６０ｂは金属板をプレス打ち抜き加工を施すことによって作られており、アース固定部３８０ａ，３８０ｂに対向して取り付けられる取付部２７０ａ，２７０ｂと、インシュレータ３００をプリント回路基板のような基板に実装したときに、基板のスルーホールに差し込まれる基板差し込み部２８０ａ，２８０ｂと、アース接点穴３８０ａ−１，３８０ｂ−１に入り込んでカード１００の側面に接触するように曲げられているアース接点部２９０ａ，２９０ｂとを備える。
【００１４】
レバー４００の長手方向の中央部には軸穴４１０が形成されている。レバー４００の一端側には、突当部４２０が形成されており、他方側には連結穴４３０が形成されている。
【００１５】
プレート部材５００は、長板形状のプレート主板部５００ａと、プレート主板部５００ａの長手方向に平行な一辺かつ両側近傍で、一辺からプレート主板部５００ａに対してほぼ直角に曲げられて形成されている一対のカード突当部５１０ａ，５１０ｂと、プレート主板部５００ａの長手方向の両端でプレート主板部５００ａに対してほぼ直角に曲げられて形成されている一対の側板部５２０ａ，５２０ｂと、プレート主板部５００ａの長手方向に平行な一辺かつ中央部分で、一辺からプレート主板部５００ａに対してほぼ直角に曲げられて形成されている連結部５３０と有している。
【００１６】
側板部５２０ａ，５２０ｂの離脱方向Ｂ側の先端には板バネ５２０ａ−１，５２０ｂ−１が形成されており、嵌合方向Ａ側には切込部５４０ａ、５４０ｂが形成されている。
【００１７】
図１４において、レバー４００とプレート部材５００の組立時には、レバー４００の連結穴４３０にプレート部材５００の連結部５３０を、切込部５４０ａ（図１５では切込部５４０ｂ）内にレバー４００を差し込んだ後、軸穴４１０内に回転軸３６０ａを通す。軸穴４１０と軸３６０ａによりレバー４００はインシュレータ３００のコネクタ部３００ｃの表面３００ｄ（図１５では表面３００ｅ）上で回転可能となる。また、段差部３７０ａ，３７０ｂにはプレート部材５００の側板部５２０ａ，５２０ｂが入り込み、溝３７０ａ−１，３７０ｂ−１，３７０ａ−２，３７０ｂ−２と板バネ５２０ａ−１，５２０ｂ−１とでプレート部材５００は位置決めされる。
【００１８】
プレート部材５００の板バネ５２０ａ，５２０ｂが溝３７０ａ−１，３７０ｂ−１，３７０ａ−２，３７０ｂ−２に入っている状態で、カード１００をガイド部３２０ａ，３２０ｂの奥側にある空間３２０ａ−１に挿入すると、カード１００の嵌合方向Ａの先端部分がカード突当部５１０ａ，５１０ｂに突き当たる。このとき、プレート部材５００はカード１００とともに押し込まれる。同時に、連結部５３０と連結穴４３０も押し込まれるため、レバー４００は軸３５０ａを中心として時計方向に回転する。
【００１９】
カード１００の嵌合が完了するとプレート部材５００の板バネ５２０ａ，５２０ｂはインシュレータ３００の溝３７０ｂ−１，３７０ｂ−２に入り込む。
【００２０】
以上に述べたように、カード１００をインシュレータ３００へ挿入することによって、時計方向に回転したレバー４００を反時計方向に回転させると、連結穴４３０とともにプレート部材５００がカード１００を離脱方向Ｂ、即ち排出方向へ移動するため、カード突当部５１０ａ，５１０ｂによりカード１００は排出される。この時、プレート部材５００の板バネ５２ａ，５２ｂはインシュレータ３００の段差部３７０ａ，３７０ｂに形成されている溝３７０ａ−１，３７０ｂ−１，３７０ａ−２，３７０ｂ−２に入り込む。
【００２１】
ハートカム６００は内側面にカム溝６２０，上下面に回転軸６３０とストッパ６４０、回転軸６３０側の側面にはスプリング軸６５０が形成されている。操作ボタン部材７００は外側面にスプリング軸７１０、内側面に固定溝７２０、段差部７３０、軸７４０，７５０が形成されている。
【００２２】
イジェクトバー８００は段差部８１０、軸穴８２０、長穴８３０、ピン８４０、レバー溝８５０が付けられ、操作ボタン部材７００の段差部７３０と段差部８１０が向き合う方向で、軸穴８２０の中に軸７４０が差し込まれる。
【００２３】
この時長穴８３０に軸７５０が入り両者の回転角度を限定している。
【００２４】
カバー部材９００は金属板をプレス加工して作られ、上板９２０ａと下板９２０ｂの上下面にそれぞれ軸穴９４０、ストッパ９６０、固定部９７０，９８０が、側面９１０には板バネ９５０が形成されている。
【００２５】
カバー部材９００の軸穴９４０にハートカム６００の回転軸６３０が差し込まれ、両者は回転可能に一体化される。この時外側面６１０は板バネ９５０によって内側に押されるが、ストッパ６４０がストッパ９６０に突き当たった状態で止まる。
【００２６】
スプリング８９０の一方は操作ボタン部材７００のスプリング軸７１０に差し込まれている。他方はイジェクトバー８００を組み込んだ操作ボタン部材７００が、カバー部材９００に組み込まれる時に、ハートカム６００のスプリング軸６５０に差し込まれる。
【００２７】
この組立により操作ボタン部材７００とイジェクトバー８００は、操作ボタン部材突出方向に付勢されるが、ハートカム６００のカム溝６２０内に入ったピン８４０により操作ボタン部材７００の位置は規制される。
【００２８】
以上の組立によりハートカム６００、操作ボタン部材７００、イジェクトバー８００、スプリング８９０及びカバー部材９００は、これらが一体化したイジェクトユニットとなっている。このイジェクトユニットのうち、カバー部材９００の固定部９７０をインシュレータ３００の固定部３４０に、固定部９８０を固定部３５０に、操作ボタン部材７００の固定溝７２０を固定アーム３３０にそれぞれ差し込む事により、イジェクトユニットはインシュレータ３００に固定される。
【００２９】
図１６は、カード１００を嵌合した時の操作ボタン部材７００の押し込み状態を示している。図１７は、カード１００を嵌合した時の操作ボタン部材７００が突出している状態を示している。図１８は、カード１００を排出した時の操作ボタン部材７００の初期状態を示している。
【００３０】
図１９は、ハートカム６００を示している。図１９を参照して、カム溝６２０の形状の全体は略ハート形状を呈し、操作ボタン部材７００の位置を規制する循環型カムである。
【００３１】
カム溝６２０の形状を説明すると、カム溝６２０は、ハートカム６００の長手方向を交叉する方向に形成されている溝６２０ａと、この溝６２０ａの嵌合方向Ａ側の一端に連接している溝６２０ｃと、嵌合・離脱方向Ａ，Ｂに平行にかつ離脱方向Ａへ延びている溝６２０ｄと、この溝６２０ｄに連接し長手方向でかつ嵌合・離脱方向Ａ，Ｂに平行に延びかつ溝６２０ａと同じ傾斜角度で上方へ延びている溝６２０ｆと、この溝６２０ｆの嵌合方向Ａ側の一端に連接しかつ嵌合・離脱方向Ａ，Ｂに平行にかつ嵌合方向Ａへ延びている溝６２０ｇと、この溝６２０ｇの嵌合方向Ａ側の一端に連接し嵌合方向Ａ側から離脱方向Ｂ側へ連接している溝６２０ｈと、溝６２０ｈに連接している溝６２０ｉとを有している。
【００３２】
カム溝６２０の溝深さは図中にアルファベットで示し、溝深さの関係はａ＜ｂ＜ｃ＜ｄとなる。なお、図中、矢印が２つのアルファベットで挟まれている部分は斜面を表している。
【００３３】
図２０（ａ）〜図２０（ｆ）はイジェクタの動作順序を説明しており、図２０（ａ）は操作ボタン部材初期位置、図２０（ｂ）は操作ボタン部材押し込み位置、図２０（ｃ）は操作ボタン部材突出最中、図２０（ｄ）はカード排出開始、図２０（ｅ）はカード排出完了、図２０（ｆ）は操作ボタン部材初期位置を示している。
【００３４】
図２０（ａ）に示す初期位置においては、イジェクトバー８００のピン８４０は深さｃの６２０ａに位置している。この時操作ボタン部材７００の先端の位置は、図１３に示す位置になる。
【００３５】
図１４の様に、操作ボタン部材７００の先端を押し込むと、イジェクトバー８００も押し込まれるため、ピン８４０は溝壁６２０ｂに沿って図１９の右下方向に移動し、深さｄの溝６２０ｃ部分に入る。
【００３６】
操作ボタン部材７００を押し込む力をゆるめると、スプリング８９０の力により操作ボタン部材７００とイジェクトバー８００は押し戻され、ピン８４０は溝６２０ｄ，溝壁６２０ｅと移動した後、深さｄの溝６２０ｆに入る。この時、図１７に示す様に、操作ボタン部材７００の位置は突出位置となる。
【００３７】
この突出位置の操作ボタン部材７００を押し込むと、ピン８４０は溝６２０ｇ，溝６２０ｈを経て深さｂの溝６２０ｉに入る。
【００３８】
操作ボタン部材７００を押し込む力をゆるめると、ピン８４０は溝壁６２０ｊに沿って移動し、溝６２０ａに至り操作ボタン部材７００の位置は図１６に示す初期状態になる。以上に述べたピン８４０の移動は、カム溝６２０の各部分の深さにより、常に一方方向に移動する。
【００３９】
図２０（ａ）乃至図２０（ｆ）を参照して、図２０（ａ）は初期位置でありピン８４０は６２０ａに位置している。操作ボタン部材７００を押し込みピン８４０が溝６２０ｃに入った時が図２０（ｂ）に示す押し込み位置であり、イジェクトバー８００はレバー４００から遠ざかる方向に回転する。
【００４０】
操作ボタン部材７００を押し込む力をゆるめると、スプリング８９０の力により操作ボタン部材７００とイジェクトバー８００は押し戻され、図２０（ｃ）、図２０（ｄ）に示すようにピン８４０は溝壁６２０（ｅ）に至る。
【００４１】
操作ボタン部材７００とイジェクトバー８００は、スプリング８９０の力によりさらに押し戻され、ピン８４０は溝壁６２０ｅに沿って移動し、溝６２０ｆに至り操作ボタン部材７００は突出位置になる。この時イジェクトバー８００はレバー４００に近づく方向に回転する。この状態を図２０（ｄ）に示す。
【００４２】
突出状態になった操作ボタン部材７００を再度押し込むと、イジェクトバー８００も操作ボタン部材７００と共に押し込まれるが、この時レバー溝８５０内にレバー４００の突当部４２０が入り込む。
【００４３】
操作ボタン部材７００及びイジェクトバー８００が押し込まれると共に突当部４２０も押し込まれるが、この時レバー４００は回転軸３６０を中心とする回転動作を行うため、連結穴４３０は操作ボタン部材７００の押し込み方向とは逆向きに移動する。連結穴４３０にはプレート部材５００が差し込まれているため、プレート部材５００も操作ボタン部材７００とは逆方向に移動する。この時カード突当部５１０がカードを押し出すため、カードは排出される。この動作中にピン８４０は溝６２０ｇ，溝６２０ｈを通って溝６２０ｉに到達し、図２０（ｅ）に示した状態になる。
【００４４】
カード１００を排出するために操作ボタン部材７００を押し込んでいた力をゆるめるとピン８４０は溝６２０ａに戻り、操作ボタン部材７００は初期位置になる。この状態を図２０（ｆ）に示す。
【００４５】
コネクタ内にカード１０を再度挿入すると、プレート部材５００がカード１００によって押し込まれるためレバー４００は時計方向に回転する。レバー４００の回転により突当部４２０はカードの挿入方向と反対方向に移動し、図２０（ａ）に示した状態に戻る。
【００４６】
【発明が解決しようとする課題】
しかしながら、従来のイジェクト機構付きコネクタでは、ハートカム６００、操作ボタン部材７００、イジェクトバー８００からなるイジェクトユニットは、カバー部材９００に収められた後にインシュレータ３００に固定されているので、カバー部材９００によって部品点数が多くなるとともに、外形寸法も大きくなってしまうという問題がある。
【００４７】
それ故に、本発明の課題は、部品点数が少なく、外形寸法の小さいイジェクト機構付きコネクタを得ることができるイジェクト機構付きコネクタを提供することにある。
【００４８】
【課題を解決するための手段】
本発明によれば、接続対象物に接続するコネクタ部と、該コネクタ部に対して嵌合する嵌合方向及び前記コネクタ部から離脱させる離脱方向へ前記接続対象物を案内するガイド部を設けたフレームと、嵌合状態にある前記接続対象物を離脱させるためのイジェクト機構とを備えているイジェクト機構付きコネクタにおいて、前記イジェクト機構は、前記接続対象物を離脱させる離脱手段と、前記離脱手段を操作する操作手段と、前記離脱方向へ前記操作手段を常時、付勢する弾性部材とを有し、前記フレームには、カム部を有するピン部材が取り付けられており、前記操作手段は、操作ボタン部材と、前記離脱手段と当接し前記離脱手段を操作するイジェクトバーと、該イジェクトバーを回動自在に保持する保持手段とを有し、前記イジェクトバーには、前記カム部と係合するカム機構が設けられており、前記操作ボタン部材は前記フレームと係合する係合手段を有し、前記フレームは前記係合手段と係合する固定手段を有し、前記フレームに前記操作ボタン部材を摺動自在に保持させるよう前記固定手段と前記係合手段とが係合していることを特徴とするイジェクト機構付きコネクタが得られる。
【００４９】
【作用】
本発明のイジェクト機構付きコネクタによると、操作ボタン部材とイジェクトバーとが互いに軸と穴により揺動可能に一体化され、操作ボタン部材が弾性部材とともにフレームに平行な方向で嵌合・離脱方向へ移動可能に組み込まれている。
【００５０】
操作ボタン部材は、弾性部材によって離脱方向へ付勢され、ピン先端部はイジェクトバーの側面に形成されたカム溝内に入っている。
【００５１】
このカム溝とピンとの作用により、イジェクトバーが揺動しながら操作ボタン部材の位置が規制され、初期位置にあった操作ボタン部材を押し込み、その力をゆるめると、操作ボタン部材は突出する。操作ボタン部材が突出位置になるとイジェクトバーはレバーにかみ合い、この操作ボタン部材を押し込むとカードは排出され、その後に初期位置に戻る。
【００５２】
【発明の実施の形態】
以下、本発明に係るイジェクト機構付きコネクタの一実施の形態例を説明する。図１は、一実施の形態例におけるイジェクト機構付きコネクタを示しており、接続対象物としてのカードを嵌合した時において操作ボタン部材が初期状態の位置にある状態を示している。図２は、図１に示したイジェクト機構付きコネクタを分解した状態を示している。図３は、図２に示したイジェクト機構付きコネクタのインシュレータを逆転してイジェクタ機構を取り付ける例を分解して示している。
【００５３】
図１乃至図３を参照して、イジェクト機構付きコネクタは、ＰＣカード及びＣＦカード等の接続対象物としてのカード１０と嵌合するための複数のピンコンタクトのような導電性のコンタクト２０と、これらコンタクト２０を整列・固定するためのインシュレータ３０と、カード１０の不要電流を外部に逃がすための一対のアース端子２６ａ，２６ｂと、嵌合状態にあるカード１０を排出するためのイジェクト機構とから構成されている。
【００５４】
カード１０は、その嵌合側の端面に図示しない相手コネクタが設けられており、嵌合時に相手コネクタに備えられている導電性の相手コンタクトにコンタクト２０が接触するものである。
【００５５】
なお、以下の説明において、インシュレータ３０へカード１０が挿入され、コンタクト２０にカード１０に設けた相手コンタクトを嵌合させる方向を嵌合方向Ａと呼び、嵌合状態にあるカード１０をコンタクト２０から離脱させる方向を離脱方向Ｂと呼ぶことにする。
【００５６】
イジェクト機構は、レバー４０と、プレート部材５０と、ピン部材６０と、弾性部材としてのスプリング６６と、操作ボタン部材７０と、イジェクトバー８０とから構成される。なお、レバー４０とプレート部材５０とはこれらで離脱手段を構成している。操作ボタン部材７０とイジェクトバー８０とは、これらで操作手段を構成している。
【００５７】
ピンコンタクト２０は導電性の金属材料によって作られており、カード１０に設けられている相手コンタクトと接触させるための接点部２１と、インシュレータ３０に圧入されて保持する圧入部２２と、インシュレータ３０の外へ延びてプリント回路基板のような基板の回路に半田によって接続される半田付部２３とを有している。
【００５８】
インシュレータ３０は樹脂材料によって、平面で見ると略コ字形状に作られており、互いに平行に所定間隔をもって位置している一対のフレーム３０ａ，３０ｂと、カード１０を図１に示した嵌合方向Ａへ挿入する嵌合端側で一対のフレーム３０ａ，３０ｂを相互に接続しているコネクタ部３０ｃとを有している。
【００５９】
コネクタ部３０ｃには、コンタクト２０の圧入部２２を圧入するための圧入穴３１が嵌合・離脱方向Ａ，Ｂに形成されている。一対のフレーム３０ａ，３０ｂの対向面のそれぞれには、嵌合方向Ａへカード１０を挿入してコンタクト２０まで案内するために溝状に形成されているガイド部３２ａ，３２ｂが形成されている。
【００６０】
図２に示すように、一方のフレーム３０ａの外側面には、操作ボタン部材７０を嵌合・離脱方向Ａ，Ｂへ移動可能に保持するために離脱方向Ｂ側の端部で外側面上へ突出するように形成されている第１のフレーム側固定部３３と、嵌合・離脱方向Ａ，Ｂの中間部で外側面上へ突出するように形成されている第２のフレーム側固定部３４と、嵌合方向Ａの端部で外側面より凹面形状に凹ませて形成されているフレーム段差部３７ａと、第１のフレーム側固定部３３の近傍でアース端子２６を固定するために外側面から凹面形状に凹むように形成されているアース固定部３８ａと、アース固定部３８ａに隣接して離脱方向Ｂ側にアース接点穴３８ａ−１とが成形されている。フレーム段差部３７ａには離脱方向Ｂの端部に隣接して第１の段差溝３７ａ−１と、この第１の溝３７ａ−１に対向して嵌合方向Ａ側のフレーム段差部３７ａに第２の段差溝３７ｂ−１が設けられている。
【００６１】
他方のフレーム３０ｂの外側面には、嵌合方向Ａの端部で外側面より凹面形状に凹ませて形成されているフレーム段差部３７ｂと、離脱方向Ｂの端部近傍でアース端子２６ｂを固定するように外側面から凹面形状に凹むように形成されているアース固定部３８ｂと、アース固定部３８ｂに隣接して離脱方向Ｂ側にアース接点穴３８ｂ−１とが成形されている。
【００６２】
フレーム段差部３７ｂには離脱方向Ｂの端部に第１の段差溝３７ａ−２と、この第１の段差溝３７ａ−２に対向して嵌合方向Ａ側のフレーム段差部３７ｂに第２の段差溝３７ｂ−２とが設けられている。
【００６３】
図１に示したコネクタ部３０ｃの表面３５ｄには、レバー４０を回動可能に軸支する軸３５ａが設けられている。図２に示したコネクタ部３０ｃの表面３５ｅには、レバー４０を回動可能に軸支する軸３５ｂが設けられている。軸３５ａ，３５ｂは、一対のフレーム３０ａ，３０ｂのいずれかにイジェクト機構を取り付けるかによって、レバー４０の向きを選択して軸支するようになっている。
【００６４】
一対のアース端子２６ａ，２６ｂは、金属板をプレス打ち抜き加工を施すことによって作られており、アース固定部３８ａ，３８ｂに対向して取り付けられる取付部２７ａ，２７ｂと、インシュレータ３０を図示しないプリント回路基板のような基板に実装したときに、基板のスルーホールに差し込まれる基板差し込み部２８ａ，２８ｂと、アース接点穴３８ａ−１，３８ｂ−１に入り込んでカード１０の側面に接触するように曲げられているアース接点部２９ａ，２９ｂとを備える。
【００６５】
取付部２７ａ，２７ｂがインシュレータ３０のアース固定部３８ａ，３８ｂに固定された時には、アース接点部２９ａ，２９ｂがアース固定部３８ａ，３８ｂに近接して形成されているアース接点穴３８ａ−１，３８ｂ−１に入り込んでカード１０の側面部分に接触する。
【００６６】
レバー４０の長手方向の中央部には、レバー軸穴４１が形成されている。レバー４０の一端側には、レバー突当部４２が形成されており、他方側にはレバー連結穴４３が形成されている。
【００６７】
プレート部材５０は、長板形状のプレート主板部５０ａと、プレート主板部５０ａの長手方向に平行な一辺かつ両側近傍で、一辺からプレート主板部５０ａに対してほぼ直角に曲げられて形成されている一対のカード突当部５１ａ，５１ｂと、プレート主板部５０ａの長手方向の両端でプレート主板部５０ａに対してほぼ直角に曲げられて形成されている一対のプレート側板部５２ａ，５２ｂと、プレート主板部５０ａの長手方向に平行な一辺かつ中央部分で、一辺からプレート主板部５０ａに対してほぼ直角に曲げられて形成されているプレート連結部５３と有している。
【００６８】
プレート側板部５２ａ，５２ｂの離脱方向Ｂ側の先端には、板バネ部５２ａ−１，５２ｂ−１が形成されており、嵌合方向Ａ側には切込部（プレート切込部）５４ａ、５４ｂが形成されている。
【００６９】
図２において、レバー４０及びプレート部材５０の組立時には、レバー４０のレバー連結穴４３にプレート部材５０のプレート連結部５３を、切込部５４ａ内にレバー４０を差し込んだ後、レバー軸穴４１内に軸３５ａを通す。レバー４０は、レバー軸穴４１と軸３５ａとを嵌合させることによりインシュレータ３０のコネクタ部３０ｃの表面３０ｄ上で平行に回転可能となる。
【００７０】
なお、図３におけるレバー４０は、レバー４０のレバー連結穴４３にプレート部材５０のプレート連結部５３を、切込部５４ｂ内にレバー４０を差し込んだ後、レバー軸穴４１と軸３５ｂとを嵌合させることによりインシュレータ３０のコネクタ部３０ｃの表面３０ｅ上で回転可能となる。
【００７１】
また、フレーム段差部３７ａ，３７ｂにはプレート部材５０のプレート側板部５２ａ，５２ｂが入り込み、第１及び第２の段差溝３７ａ−１，３７ｂ−１，３７ａ−２，３７ｂ−２と板バネ部５２ａ−１，５２ｂ−１とでプレート部材５０は位置決めされる。
【００７２】
プレート部材５０の板バネ部５２ａ，５２ｂが第１及び第２の溝３７ａ−１，３７ｂ−１，３７ａ−２，３７ｂ−２に入っている状態で、カード１０をガイド部３２ａ，３２ｂの奥側にある空間３２ａ−１に挿入すると、カード１０の嵌合方向Ａの先端部分がカード突当部５１ａ，５１ｂに突き当たる。このとき、プレート部材５０はカード１０とともに押し込まれる。同時に、プレート連結部５３とレバー連結穴４３も押し込まれるため、レバー４０は軸３５ａを中心として時計方向に回転する。
【００７３】
カード１０の嵌合が完了するとプレート部材５０の板部バネ５２ａ，５２ｂはインシュレータ３０の第２の段差溝３７ｂ−１，３７ｂ−２に入り込む。
【００７４】
以上に述べたように、カード１０をインシュレータ３０へ挿入することによって、時計方向に回転したレバー４０を反時計方向に回転させると、連結穴４３とともにプレート部材５０がカード１０を離脱方向Ｂ、即ち排出方向へ移動するため、カード突当部５１ａ，５１ｂによりカード１０は排出される。この時、プレート部材５０の板バネ５２ａ，５２ｂはインシュレータ３０のフレーム段差部３７ａ，３７ｂに形成されている第１及び第２の段差溝３７ａ−１，３７ｂ−１，３７ａ−２，３７ｂ−２に入り込む。
【００７５】
ピン部材６０は弾力性の有る金属棒を曲げて作られており、中間のピン段部６１から先端には、ピン曲げ部６２とカム部としてのピン先端部６３が形成されている。スプリング６６は圧縮コイルバネで、組立時にはその内部にピン部材６０が差し込まれる。
【００７６】
ピン部材６０とスプリング６６との組込みは、インシュレータ３０側面の第２のボタン固定部３４に形成されている溝３４ｂ内にピン曲げ部６２を入れながら、第１のフレーム側固定部３３に開けられた穴３３ｂにピン部材６０を差し込む。この時、ピン曲げ部６２と溝３４ｂの底との間には空間６５が出来る。その結果、ピン先端部６３はインシュレータ３０の側面から弾力性を持ちながら突出する。
【００７７】
図４は、カード１０を嵌合した時の操作ボタン部材７０の押し込み状態を示している。図５は、カード１０を嵌合した時の操作ボタン部材７０が突出している状態を示している。図６は、カード１０を排出した時の操作ボタン部材７０の初期状態を示している。
【００７８】
さらに、図２、図３及び図７をも参照して、操作ボタン部材７０はボタン操作部７１とボタン根元部７２からなり、ボタン操作部７１の内側にはイジェクトバー収納空間７３とボタン固定溝７４とが形成されており、ボタン根元部７２の内側にはスプリング収納空間７５、スリット７６、先端部分にボタン段差部７７が形成されている。また、イジェクトバー収納空間７３にはボタン回転軸７３ａが位置しており、ボタン操作部７１にはボタン固定溝７４へ突出している第１の突起７４ａが形成されており、ボタン根元部７２にはスプリング収納空間７５に突き出している複数の第２のボタン突起７５ａが形成されている。さらにボタン操作部７１には、イジェクトバー収納空間７３とは反対側の外側にかつボタン根元部７２側から離脱方向Ｂへボタン穴７８が形成されている。第１及び第２のボタン突起７４ａ，７５ａとは、これらで係合手段を構成している。
【００７９】
イジェクトバー８０は、イジェクトバー先端部８１とイジェクトバー根元部８２からなり、イジェクトバー根元部８２にはイジェクトバー穴８３、イジェクトバー先端部８１の内側面にはカム溝（略ハート形状に形成されてる環状型ハートカム）８４、先端部分にはイジェクトバー溝８５とイジェクトバー保持突起８６が形成されている。
【００８０】
図３に示したボタン回転軸７３ａ，ボタン段差部７７，イジェクトバー穴８３，イジェクトバー保持突起８６は、これらで保持手段を構成している。
【００８１】
操作ボタン部材７０とイジェクトバー８０との組立は、イジェクトバー根元部８２をボタン穴７８に差し込み、イジェクトバー穴８３内に回転軸７３ａを通して後に、イジェクトバー保持突起８６をボタン段差部７７内にはめ込むことにより、操作ボタン部材７０とイジェクトバー８０は一体化する。また、両者は回転軸７３ａを回転中心とする揺動運動が可能になる。
【００８２】
操作ボタン部材７０とイジェクトバー８０の組立品をインシュレータ３０へ組み込むには、第１のフレーム側固定部３３とボタン固定溝７４、第２のフレーム側固定部３４とスプリング収納空間７５とを位置合わせする。ピン部材６０のピン先端部６３は、スリット７６に通した後にカム溝８４に入って操作ボタン部材を押し込むと、図８乃至図１０に拡大して示したように、第１のフレーム側固定部３３における第１のフレーム側突起３３ａと第１のボタン突起７４ａ、第２のフレーム側固定部３４における第２のフレーム側突起３４ａと第２のボタン突起７５ａがそれぞれかみ合う。
【００８３】
操作ボタン部材７０とイジェクトバー８０はインシュレータ３０の側面を進退可能に固定される。第１のフレーム側突起３３ａと第２のフレーム側突起３４ａとは、これらで固定手段を構成している。
【００８４】
図１１を参照して、カム溝８４の形状の全体が略ハート形状を呈し、ボタン部材７０の位置を規制する循環型カムである。
【００８５】
カム溝８４の形状を説明すると、カム溝８４は、イジェクトバー８０のイジェクトバー先端部８１の長手方向を交叉する方向に形成されている溝８４ａと、この溝８４ａの嵌合方向Ａ側の一端に連接しかつ嵌合・離脱方向Ａ，Ｂに平行にかつ離脱方向Ａへ延びている溝８４ｄと、この溝８４ｃに連接し長手方向でかつ嵌合・離脱方向Ａ，Ｂに平行に延びかつ溝８４ａと同じ傾斜角度で下方へ延びている溝８４ｆと、この溝８４ｆの嵌合方向Ａ側の一端に連接しかつ嵌合・離脱方向Ａ，Ｂに平行にかつ嵌合方向Ａへ延びている溝８４ｉと、この溝８４ｉの嵌合方向Ａ側の一端に連接し嵌合方向Ａ側から離脱方向Ｂ側へ連接している溝８４ｊ，８４ｋと、溝８４ｋに連接している溝８４ｍとを有している。
【００８６】
カム溝８４の溝深さは、図中にａ〜ｄのアルファベットで示している。カム溝８４の深さの関係は、ａ＜ｂ＜ｃ＜ｄのようになる。なお、図１１中の矢印が２つのアルファベットで挟まれている部分は斜面を表している。
【００８７】
図１２（ａ）乃至図１２（ｆ）はイジェクタの動作順序の説明図であり、図１２（ａ）は操作ボタン部材の初期位置、図１２（ｂ）は操作ボタン部材の押し込み位置、図１２（ｃ）は操作ボタン部材７０が突出している最中、図１２（ｄ）はカード１０が排出開始する状態、図１２（ｅ）はカード１０の排出が完了、図１２（ｆ）は操作ボタン部材初期位置を示している。
【００８８】
図１２（ａ）の操作ボタン部材７０の初期位置ではピン部材６０のピン先端部６３は、カム溝８４の溝８４ａに位置している。この状態から操作ボタン部材７０を押し込むと、ピン先端部６３が斜面８４ｂに接触することにより、イジェクトバー８０は図１２（ａ）における反時計回りに回転する。
【００８９】
操作ボタン部材７０を最後まで押し込むと、ピン先端部６３は溝段差部８４ｃへ落ちた後に溝８４ｄに至り図１２（ｂ）の操作ボタン部材７０の押し込み位置になる。ボタン部材７０を押し込む力をゆるめるとスプリング６６の荷重により操作ボタン部材７０とイジェクトバー８０とは突出し始め、ピン先端部６３は溝段差部８４ｃ，溝８４ｅ，溝８４ｆと接触した後、溝斜面８４ｇに接触する。この後、イジェクトバー８０は突出するとともに図１２内で時計回りに回転する。
【００９０】
操作ボタン部材７０の突出が完了すると、図１２（ｄ）のカード１０の排出が開始される。この時、ピン先端部６３は段差部８４ｈを落ちた後、溝８４ｉに至る。またイジェクトバー８０の時計回りの回転により、カム溝８４はレバー４０と同一高さに位置する。
【００９１】
この後、操作ボタン部材７０を押し込むと、ピン先端部６３は溝８４ｊに接触した後、溝８４ｊから溝８４ｋに至る。操作ボタン部材７０を最後まで押し込むと、ピン先端部６３は溝段差部８４１を落ちる。この操作ボタン部材７０の押し込み動作中はイジェクトバー溝８５によりレバー４０は回転しカード１０が排出される。
【００９２】
カード１０を排出した後、操作ボタン部材７０を押し込んでいた力をゆるめると、ピン先端部６３は溝斜面８４ｍに沿って溝８４ａに至り、図１２（ｆ）の初期位置になる。
【００９３】
以上の手順により、ピン先端部６３はイジェクトバー溝８５内の段差部部分の作用により、反時計方向に回りながら操作ボタン部材７０の位置を規制している。
【００９４】
【発明の効果】
本発明に係るコネクタによると、一体化した操作ボタン部材とイジェクトバーとをインシュレータに固定することによって、カバー部材が不要となるために部品点数が少なく、外形寸法の小さいイジェクト機構付きコネクタを得ることができる。
【００９５】
また、カム溝をイジェクトバーに設け、このイジェクトバーを操作ボタン部材に揺動可能に組み合わせ、これをフレームに嵌合・離脱方向へ移動可能に固定したため、従来イジェクトを固定するために必要であったカバー部材が不要となり、部品点数の削減されるとともに、外形寸法の小形化が可能となる。
【図面の簡単な説明】
【図１】本発明に係るイジェクト機構付きコネクタの一実施の形態例を示しており、カードが嵌合している時の初期状態における操作ボタン部材の位置を示す斜視図である。
【図２】図１に示したイジェクト機構付きコネクタを分解して示した斜視図である。
【図３】図１に示したイジェクト機構付きコネクタのイジェクト機構をフレームの反対側へ取り付ける例を分解して示した斜視図である。
【図４】図１に示したイジェクト機構付きコネクタにおいて、カードを嵌合した時の操作ボタン部材の押し込み状態を示す斜視図である。
【図５】図１に示したイジェクト機構付きコネクタにおいて、カードを嵌合した時の操作ボタン部材が突出している状態を示した斜視図である。
【図６】図１に示したイジェクト機構付きコネクタにおいて、カードを排出した時の操作ボタン部材の初期状態を示す斜視図である。
【図７】図１に示したイジェクト機構付きコネクタの操作ボタン部材及びイジェクトバーを先端側から見た斜視図である。
【図８】図１に示したイジェクト機構付きコネクタのインシュレータにアース端子を組み付けた状態における外側面を拡大して示した斜視図である。
【図９】図１に示したイジェクト機構付きコネクタのインシュレータにアース端子、ピン部材、スプリングを組み込んだ状態における外側面を拡大して示した斜視図である。
【図１０】図９の部分断面図である。
【図１１】図３に示したカム溝の拡大図である。
【図１２】（ａ）〜（ｆ）は、イジェクト機構の動作を説明するための説明図である。
【図１３】従来のイジェクト機構付きコネクタを示しており、カードが嵌合している時の初期状態における操作ボタン部材の位置を示す斜視図である。
【図１４】図１３に示したイジェクト機構付きコネクタを分解して示した斜視図である。
【図１５】図１３に示したイジェクト機構付きコネクタのイジェクト機構をフレームの反対側へ取り付ける例を分解して示した斜視図である。
【図１６】図１３に示したイジェクト機構付きコネクタにおいて、カードを嵌合した時の操作ボタン部材の押し込み状態を示す斜視図である。
【図１７】図１３に示したイジェクト機構付きコネクタにおいて、カードを嵌合した時の操作ボタン部材が突出している状態を示した斜視図である。
【図１８】図１に示したイジェクト機構付きコネクタにおいて、カードを排出した時の操作ボタン部材の初期状態を示す斜視図である。
【図１９】図１４に示したハートカムの拡大図である。
【図２０】（ａ）〜（ｆ）は、図１３に示したイジェクタの動作を説明するための説明図である。
【符号の説明】
１０，１００    カード
２０，２００    コンタクト
３０，３００    インシュレータ
２６ａ，２６ｂ，２６０ａ，２６０ｂ    アース端子
３０ａ，３０ｂ，３００ａ，３００ｂ    フレーム
３３ａ    第１のフレーム側突起
３４ａ    第２のフレーム側突起
４０，４００    レバー
５０，５００    プレート部材
６０    ピン部材
６３    ピン先端部
６６，８９０    スプリング
７０，７００    操作ボタン部材
７４ａ    第１のボタン突起
７５ａ    第２のボタン突起
８０，８００    イジェクトバー
８４    カム溝
８５    イジェクトバー溝
６００    ハートカム
９００    カバー部材
【図１】
0003620462.tif 000002
【図２】
0003620462.tif 000003
【図３】
0003620462.tif 000004
【図４】
0003620462.tif 000005
【図５】
0003620462.tif 000006
【図６】
0003620462.tif 000007
【図７】
0003620462.tif 000008
【図８】
0003620462.tif 000009
【図９】
0003620462.tif 000010
【図１０】
0003620462.tif 000011
【図１１】
0003620462.tif 000012
【図１２】
0003620462.tif 000013
【図１３】
0003620462.tif 000014
【図１４】
0003620462.tif 000015
【図１５】
0003620462.tif 000016
【図１６】
0003620462.tif 000017
【図１７】
0003620462.tif 000018
【図１８】
0003620462.tif 000019
【図１９】
0003620462.tif 000020
【図２０】
0003620462.tif 000021